(57)【要約】【課題】希望する位置、場所に容易に移動でき、電力を必要とすることなく運転できる淡水化装置を提供する。【解決手段】台車１上に、高圧ポンプ１０と、高圧ポンプに連動連結した原動機１５と、高圧ポンプの吐出し口１２に連通した逆浸透膜式の濾過器２０と、高圧ポンプの吸込み口１１への原水配管３０中に介在したフィルター３１とを設けた。原動機を駆動して高圧ポンプを高圧運転させることで、原水を高圧ポンプに吸込ませることができ、高圧ポンプの吐出し口から吐出された高圧の原水を濾過器に供給でき、逆浸透膜式による透過作用によって透過水（生産水）を分離して飲料水を得ることができる。淡水化装置は、台車形式によって希望する位置、場所に容易に移動でき、災害時など現地で容易に使用できる。原動機と高圧ポンプとの組み合わせによって、電力を必要とすることなく運転でき、災害時などで電気がストップした現地で容易に使用できる。【選択図】図１
2005270690.tif 000002
【特許請求の範囲】
【請求項１】
台車上に、高圧ポンプと、この高圧ポンプに連動連結された原動機と、前記高圧ポンプの吐出し口に連通された逆浸透膜式の濾過器と、前記高圧ポンプの吸込み口への原水配管中に介在されたフィルターとが設けられていることを特徴とする淡水化装置。
【請求項２】
高圧ポンプから濾過器への供給配管中に、排水口を有する弁手段が設けられていることを特徴とする請求項１記載の淡水化装置。
【請求項３】
台車上に、原動機に接続分離可能な発電機が設けられていることを特徴とする請求項１または２記載の淡水化装置。
【発明の詳細な説明】
【技術分野】
【０００１】
本発明は、たとえば災害時に好適に使用し得る淡水化装置に関するものである。
【背景技術】
【０００２】
従来、この種の装置としては、次のような構成が提供されている。すなわち、原水（海水）を高圧ポンプにより逆浸透膜ユニットに供給する前に、この原水をボイラーの蒸気で加圧している（たとえば、特許文献１参照。）。また別の従来構成として、原水槽内の海水を高圧ポンプにより第１ＲＯ装置に通水し、この第１ＲＯ装置からの透過水にアルカリ剤を添加したのちエネルギー回収タービン内で均一に混合し、その後に、第２ＲＯ装置に通水して透過水（処理水）を得ている（たとえば、特許文献２参照。）。
【特許文献１】特開平１１−２６７６４３号公報（第１頁、第１−３図）
【特許文献２】特開平１０−１２８３２５号公報（第１頁、第１図）
【発明の開示】
【発明が解決しようとする課題】
【０００３】
しかし、上記した両従来構成によると、いずれも海辺の陸上や船の所定箇所（所定場所）に設置されるところの大規模設備であり、移動などできないことから、災害時などに現地、すなわち目的とする場所で使用することはできない。また、両従来構成ともに電力を必要とすると思われ、災害時などに電気がストップした現地で使用することはできない。
【０００４】
そこで本発明の請求項１記載の発明は、希望する位置、場所に容易に移動し得、電力を必要とすることなく運転し得る淡水化装置を提供することを目的としたものである。
【課題を解決するための手段】
【０００５】
前述した目的を達成するために、本発明の請求項１記載の淡水化装置は、台車上に、高圧ポンプと、この高圧ポンプに連動連結された原動機と、前記高圧ポンプの吐出し口に連通された逆浸透膜式の濾過器と、前記高圧ポンプの吸込み口への原水配管中に介在されたフィルターとが設けられていることを特徴としたものである。
【０００６】
したがって請求項１の発明によると、淡水化装置は、非使用時には公共の倉庫などに納め得、そして災害時などでライフライン（電気や水道など）がストップし、緊急に飲料水などが必要なときには、手押し走行などによって目的とする場所へと移動し得る。この状態で、原動機を駆動して高圧ポンプを高圧運転させることにより、原水を原水配管で流動させ得、吸込み口を介して高圧ポンプに吸込ませ得る。このとき、原水配管を流れる原水に含まれている異物をフィルターによって除去し得る。高圧ポンプの吐出し口から吐出された高圧の原水を濾過器に供給し得、逆浸透膜式による透過作用によって透過水（生産水）と濃縮水（排水）とに分離し得、以て透過水を飲料水として使用し得る。
【０００７】
また本発明の請求項２記載の淡水化装置は、上記した請求項１記載の構成において、高圧ポンプから濾過器への供給配管中に、排水口を有する弁手段が設けられていることを特徴としたものである。
【０００８】
したがって請求項２の発明によると、消火用ホースを弁手段の排水口に接続するとともに、弁手段を、吐出し口が排水口に接続する状態に切り換えることにより、高圧ポンプの吐出し口から吐出された高圧の原水を、供給配管から消火用ホースへと流して消火に使用し得る。
【０００９】
そして本発明の請求項３記載の淡水化装置は、上記した請求項１または２記載の構成において、台車上に、原動機に接続分離可能な発電機が設けられていることを特徴としたものである。
【００１０】
したがって請求項３の発明によると、発電機を原動機に接続することにより、原動機の駆動で発電機を運転して発電し得る。
【発明の効果】
【００１１】
上記した本発明の請求項１によると、淡水化装置は、非使用時には公共の倉庫などに納めることができ、そして災害時などでライフライン（電気や水道など）がストップし、緊急に飲料水などが必要なときには、手押し走行などによって目的とする場所へと移動できる。この状態で、原動機を駆動して高圧ポンプを高圧運転させることにより、原水を原水配管で流動でき、吸込み口を介して高圧ポンプに吸込ませることができる。このとき、原水配管を流れる原水に含まれている異物をフィルターによって除去できる。高圧ポンプの吐出し口から吐出された高圧の原水を濾過器に供給でき、逆浸透膜式による透過作用によって透過水（生産水）と濃縮水（排水）とに分離でき、以て透過水を飲料水として使用できる。
【００１２】
このように、淡水化装置を作動させることで、原水を濾過処理して飲料水を得ることができる。そして淡水化装置は、台車形式によって希望する位置、場所に容易に移動でき、たとえば災害時など現地で容易に使用できる。また、原動機と高圧ポンプとの組み合わせによって、電力を必要とすることなく運転でき、たとえば災害時などで電気がストップした現地で容易に使用できる。
【００１３】
また上記した本発明の請求項２によると、消火用ホースを弁手段の排水口に接続するとともに、弁手段を、吐出し口が排水口に接続する状態に切り換えることにより、高圧ポンプの吐出し口から吐出された高圧の原水を、供給配管から消火用ホースへと流して消火に使用できる。したがって、たとえば災害地において、給水活動と消火活動とに適宜に使い分けることができる。
【００１４】
そして上記した本発明の請求項３によると、発電機を原動機に接続することにより、原動機の駆動で発電機を運転して発電でき、これにより得た電力を、周辺の電気機器に使用できる。したがって、たとえば災害地において、給水活動と給電活動とに適宜に使い分けることができる。
【発明を実施するための最良の形態】
【００１５】
［実施の形態］
以下に、本発明の実施の形態を図に基づいて説明する。
１は台車で、その本体２の下部４隅にはキャスタ形式などの車輪３が設けられ、また本体２の上部で後部には、上下方向での抜き差しにより着脱自在な枠ハンドル４が設けられている。さらに、本体２の上部には矩形箱状の枠体５が設けられ、この枠体５の上部には受け部６が設けられている。前記本体２上には、高圧ポンプ１０と、この高圧ポンプ１０に連動連結された原動機１５と、前記高圧ポンプ１０の吐出し口に連通された逆浸透膜式の濾過器２０と、前記高圧ポンプ１０の吸込み口への原水配管３０中に介在されたフィルター３１とが設けられている。
【００１６】
すなわち高圧ポンプ１０は、たとえば５０ｋｇ／ｍ２−揚程５ｍの高圧形式であって、吸込み口１１と吐出し口１２とを有し、そしてポンプ軸１３が、原動機１５の駆動軸１６に巻き掛け伝動機構１７を介して連動連結されている。なお原動機１５は、４サイクル２．６ｋＷ（タイプ２．８リットル）の形式が採用され、その上部にはオイルタンク１８が設けられている。前記濾過器２０は、たとえばホロセップ（登録商標）と称する逆浸透膜式であって、原水の供給水管２１と、透過水用の生産水管２２と、濃縮水用の排水管２３とを有している。
【００１７】
そして供給水管２１が、前記高圧ポンプ１０の吐出し口１２に供給配管２５を介して接続されるとともに、この供給配管２５中には、排水口２６Ａを有する弁手段２６が設けられている。ここで弁手段２６は手動形式であって、吐出し口１２を供給水管２１に接続する状態と、吐出し口１２を排水口２６Ａに接続する状態とに切り換え自在に構成されている。前記フィルター３１は５μｍのメッシュ形式であって、枠体５側に取り付けられている。なお生産水管２２には、必要に応じて活性炭フィルター３３が設けられる。
【００１８】
前記台車１上には、前記原動機１５に接続分離可能な発電機３５が設けられている。すなわち発電機３５の入力軸３６は、たとえばクラッチ形式の接続分離部３７を介して原動機１５の駆動軸１６に接続分離可能に構成されている。なお台車１側には、それぞれ所定長さの吸込み用ホース４０、排水用ホース４１、給水用ホース４２などが装備され、これらホース４０〜４２は巻き取り状で本体１上や受け部６上に載置されている。
【００１９】
以下に、上記した実施の形態における作用を説明する。
上記構成からなる淡水化装置は、非使用時には公共の倉庫などに納められており、その際に枠ハンドル４を離脱して本体１上や受け部６上に載置させることで、上下方向でコンパクト化し得る。そして災害時などでライフライン（電気や水道など）がストップし、緊急に飲料水などが必要なときには、枠ハンドル４を装着し、手押し走行によって目的とする場所、たとえば埠頭へと移動させる。なお、倉庫などから埠頭までが長距離の場合には、トラックなどの運搬車両によって移動させてもよい。
【００２０】
埠頭においては、まず、原水配管３０に吸込み用ホース４０を接続し、排水管２３に排水用ホース４１を接続し、生産水管２２に給水用ホース４２を接続させる。その際に接続は、拡径して嵌合させる形式、接続具を介在した形式、開閉弁を介在した形式などにより行われる。そして接続後に、吸込み用ホース４０と排水用ホース４１との遊端が海中へ投入される。
【００２１】
以上により準備を終えるのであり、このとき弁手段２６は、吐出し口１２を供給水管２１に接続する状態に切り換えられ、また発電機３５の入力軸３６と原動機１５の駆動軸１６とは分離されている。この状態で原動機１５を駆動し、巻き掛け伝動機構１７を介して高圧ポンプ１０を高圧運転させる。これにより海水（原水の一例）Ａが、吸込み用ホース４０から原水配管３０へと流動し、吸込み口１１を介して高圧ポンプ１０に吸込まれる。このとき、原水配管３０を流れる海水Ａに含まれている異物を、フィルター３１によって除去し得る。
【００２２】
高圧ポンプ１０の吐出し口１２から吐出された高圧の海水Ａは、供給配管２５と供給水管２１とを介して濾過器２０に供給され、逆浸透膜式による透過作用によって透過水（生産水）Ｃと濃縮水（排水）Ｂとに分離される。そして透過水Ｃは、生産水管２２から給水用ホース４２へと流れて飲料水として使用され、また濃縮水Ｂは、排水管２３から排水用ホース４１へと流れて海へ排水される。
【００２３】
以上のように、淡水化装置を作動させることで、海水Ａを濾過処理して飲料水を得ることができる。そして淡水化装置は、台車形式によって希望する位置、場所に容易に移動し得、以て災害時などに現地で容易に使用できる。また、原動機１５と高圧ポンプ１０との組み合わせによって、電力を必要とすることなく運転でき、以て災害時などで電気がストップした現地で容易に使用できる。
【００２４】
上述したように、淡水化装置を作動させることで飲料水を得ることができるのであるが、作動の切り換えによって、淡水化装置を消火に使用したり、発電に使用したりし得る。すなわち、たとえば排水用ホース４１や給水用ホース４２、または別のホースを消火用ホース４３として弁手段２６の排水口２６Ａに接続するとともに、弁手段２６を、吐出し口１２が排水口２６Ａに接続する状態に切り換える。これにより、高圧ポンプ１０の吐出し口１２から吐出された高圧の海水Ａを、供給配管２５から消火用ホース４３へと流して消火に使用し得る。したがって、たとえば災害地において、給水活動と消火活動とに適宜に使い分けることができる。
【００２５】
また、発電機３５の入力軸３６を原動機１５の駆動軸１６に接続し、高圧ポンプ１０の運転を適宜の手段により断つことにより、原動機１５の駆動力で発電機３５を運転して発電し得る。これにより得た電力は、発光ダイオードなど周辺の電気機器に使用し得る。したがって、たとえば災害地において、給水活動と給電活動とに適宜に使い分けることができる。
【００２６】
上記した実施の形態では、海水Ａを原水として飲料水を得ているが、淡水化装置を川の傍に移動させたときには、川水を原水として飲料水を得ることができ、また淡水化装置を湖の傍に移動させたときには、湖水を原水として飲料水を得ることができる。
【００２７】
上記した実施の形態では、災害地における給水活動と消火活動と給電活動とに適宜に使い分けているが、これは災害地以外の任意な場所においても使用できるものである。
上記した実施の形態では、高圧ポンプ１０から濾過器２０への供給配管２５中に、排水口２６Ａを有する弁手段２６が設けられ、そして台車１上に、原動機１５に接続分離可能な発電機３５が設けられた形式が示されているが、これは弁手段２６と発電機３５とのいずれか一方が省略された形式や、弁手段２６と発電機３５との両方が省略された形式などであってもよい。
【図面の簡単な説明】
【００２８】
【図１】本発明の実施の形態を示し、淡水化装置の一部切り欠き平面図である。
【図２】同淡水化装置の正面図である。
【図３】同淡水化装置の側面図である。
【符号の説明】
【００２９】
１    台車
２    本体
３    車輪
１０    高圧ポンプ
１１    吸込み口
１２    吐出し口
１５    原動機
１７    巻き掛け伝動機構
１８    オイルタンク
２０    逆浸透膜式の濾過器
２１    供給水管
２２    生産水管
２３    排水管
２５    供給配管
２６    弁手段
２６Ａ  排水口
３０    原水配管
３１    フィルター
３５    発電機
３７    接続分離部
４０    吸込み用ホース
４１    排水用ホース
４２    給水用ホース
４３    消火用ホース
Ａ    海水（原水）
Ｂ    濃縮水（排水）
Ｃ    透過水（生産水）
【図１】
2005270690.tif 000003
【図２】
2005270690.tif 000004
【図３】
2005270690.tif 000005